(57)【要約】【課題】入力機能のみならず、出力機能も有するキーパッド用表示装置及びこれを有する電子機器を提供することにある。【解決手段】複数の表示領域１３２が非表示領域１３１を境界にしてマトリクス状に配列された表示パネル１３０と、表示パネル上に設けられ、表示領域に対応する領域に開口１４２が形成され、開口の外周縁として非表示領域に対応する領域にキー１４３が形成された回路基板１４０と、回路基板上に設けられ、開口に対応する領域に透明ウィンドウが形成され、透明ウィンドウの外周縁としてキーに対応する領域に加圧部１５３が形成されたパッド１５０からなる多機能キーパッド用表示装置及びこれを有する電子機器を開示する。【選択図】図１ｂ
2008269604.tif 000002
【特許請求の範囲】
【請求項１】
複数の表示領域が非表示領域を境界にしてマトリクス状に配列された表示パネルと、
前記表示パネル上に設けられ、前記表示領域に対応する領域に開口が形成され、前記開口の外周縁として前記非表示領域に対応する領域にキーが形成された回路基板と、
前記回路基板上に設けられ、前記開口に対応する領域に透明ウィンドウが形成され、前記透明ウィンドウの外周縁として前記キーに対応する領域に加圧部が形成されたパッドと、
を含んでなることを特徴とする多機能キーパッド用表示装置。
【請求項２】
前記表示パネルは、前記表示領域のみに画素が形成されることを特徴とする請求項１に記載の多機能キーパッド用表示装置。
【請求項３】
前記表示パネルは、前記表示領域にデータ信号を印加するように電気的に連結されたデータドライバーと、前記表示領域に走査信号を印加するように電気的に連結された走査ドライバーとを含んでなることを特徴とする請求項１に記載の多機能キーパッド用表示装置。
【請求項４】
前記表示パネルは、前記表示領域のみに画素が形成された受動マトリクス有機電界発光表示パネルであることを特徴とする請求項１に記載の多機能キーパッド用表示装置。
【請求項５】
前記表示パネルのうち前記表示領域には、画素が形成されるように発光層を中心に第１電極及び第２電極が交差され、前記表示パネルのうち前記非表示領域には画素が形成されないように発光層なしに第１電極及び第２電極が交差されることを特徴とする請求項１に記載の多機能キーパッド用表示装置。
【請求項６】
前記表示領域には、前記第２電極を中心に両側に前記発光層の厚さより厚い第１セパレータが形成され、前記非表示領域には前記第１セパレータの幅より広い第２セパレータが形成される同時に、前記第２セパレータに対応する領域に前記回路基板のキーが配置されることを特徴とする請求項５に記載の多機能キーパッド用表示装置。
【請求項７】
前記第１セパレータ及び前記第２セパレータの上部には、透明基板が設けられ、前記第２セパレータに対応する前記透明基板の上部に前記回路基板のキーが配置されることを特徴とする請求項６に記載の多機能キーパッド用表示装置。
【請求項８】
前記表示パネルは、前記表示領域のみに画素が形成された能動マトリクス有機電界発光表示パネルであることを特徴とする請求項１に記載の多機能キーパッド用表示装置。
【請求項９】
前記表示パネルのうち前記表示領域には、画素が形成されるように発光層を中心にトランジスタが連結された第１電極及び第２電極が備えられ、前記表示パネルのうち前記非表示領域には画素が形成されないように発光層及びトランジスタなしに第１電極及び第２電極が備えられることを特徴とする請求項１に記載の多機能キーパッド用表示装置。
【請求項１０】
前記表示領域には、前記第１電極を中心に両側に前記発光層の厚さより厚い第１画素定義層が形成され、前記非表示領域には前記第１画素定義層の幅より広い第２画素定義層が形成される同時に、前記第２画素定義層に対応する領域に前記回路基板のキーが位置されることを特徴とする請求項９に記載の多機能キーパッド用表示装置。
【請求項１１】
前記第１画素定義層及び前記第２画素定義層の上部には、透明基板が設けられ、前記第２画素定義層に対応する前記透明基板の上部に前記回路基板のキーが配置されることを特徴とする請求項１０に記載の多機能キーパッド用表示装置。
【請求項１２】
前記表示パネルは、表示領域のみに画素が形成された液晶表示パネルであることを特徴とする請求項１に記載の多機能キーパッド用表示装置。
【請求項１３】
前記表示パネルのうち前記表示領域には、画素が形成されるように液晶を中心に第１電極及び第２電極が備えられ、前記第２電極上にカラーフィルターが設けられ、前記表示パネルのうち前記非表示領域には画素が形成されないように液晶及びカラーフィルターなしに第１電極及び第２電極が備えられることを特徴とする請求項１に記載の多機能キーパッド用表示装置。
【請求項１４】
前記表示領域には、前記液晶を中心に両側に第１スペーサが形成され、前記非表示領域には前記第１スペーサの幅より広い第２スペーサが形成される同時に、前記第２スペーサに対応する領域に前記回路基板のキーが配置されることを特徴とする請求項１３に記載の多機能キーパッド用表示装置。
【請求項１５】
前記第１スペーサ及び前記第２スペーサの上部には、透明基板が設けられ、前記第２スペーサに対応する前記透明基板の上部に前記回路基板のキーが配置されることを特徴とする請求項１４に記載の多機能キーパッド用表示装置。
【請求項１６】
前記回路基板に形成されたキーは、ドームスイッチであることを特徴とする請求項１に記載の多機能キーパッド用表示装置。
【請求項１７】
前記キーは、前記表示パネルの非表示領域に対応する領域に形成された導電パターンと、前記導電パターンに接触及び分離が可能な弾性部材からなることを特徴とする請求項１に記載の多機能キーパッド用表示装置。
【請求項１８】
前記パッドは、絶縁層と、前記絶縁層上に形成された金属層と、前記金属層上に前記キーに対応する領域に形成された加圧部に形成されることを特徴とする請求項１に記載の多機能キーパッド用表示装置。
【請求項１９】
前記加圧部は、上部に突出して形成されることを特徴とする請求項１８に記載の多機能キーパッド用表示装置。
【請求項２０】
前記表示パネルの下部には、メイン回路基板が設けられて前記表示パネル及び前記回路基板に電気的に接続されることを特徴とする請求項１に記載の多機能キーパッド用表示装置。
【請求項２１】
前記パッドの上部には、前記パッドが固定されるようにするカバーが搭載されることを特徴とする請求項１に記載の多機能キーパッド用表示装置。
【請求項２２】
請求項１に記載の多機能キーパッド用表示装置を含んでなることを特徴とする電子機器。
【請求項２３】
前記パッド用表示装置には、メイン表示パネルが電気的及び機械的に連結されることを特徴とする請求項２２に記載の電子機器。
【発明の詳細な説明】
【技術分野】
【０００１】
本発明は、多機能キーパッド用表示装置に関し、より詳しくは、入力機能のみならず出力機能もある多機能キーパッド用表示装置及びこれを有する電子機器に関する。
【背景技術】
【０００２】
一般的に、電子機器（例えば、移動通信端末機）は、各種命令を容易に入力するためにキーパッド（ｋｅｙ  ｐａｄ）装置を含む。一例として、上記パッド装置は各キー（ｋｅｙ）ごとに文字、数字または特殊記号などがあらかじめ割り当てられており、使用者は上記パッドを操作することによって、電話発信、電話受信、文字入力及び文字送信のような各種機能を上記電子機器において適切に行えるようにする。
【０００３】
しかし、このような従来のキーパッド装置は、各キーごとに固有の文字、数字または特殊記号などが既に固定されて割り当てられているために、最近の様々且つ複雑な機能を遂行する電子機器に適応しないという短所がある。
【０００４】
例えば、各キーごとに所定文字が既に固定されて割り当てられているので、移動通信端末機のグローバルローミング（ｇｌｏｂａｌ  ｒｏａｍｉｎｇ）時に文字入力が困難であったり不可能になるという短所がある。
【０００５】
また、移動通信端末機でＭＰ３機能やカメラ機能などを利用しようとする場合、多数回のキー操作が行われるために、ＭＰ３機能やカメラ機能を使用することにおいて不便という問題がある。すなわち、ユーザーインターフェース（ｕｓｅｒ  ｉｎｔｅｒｆａｃｅ）の深みが深いことからキー操作が不便且つ困難である。ところで、上記ユーザーインターフェイスの深みとは、使用者が目的とする表示を得るために必要な操作回数の度合いを意味している。従って、深みが深いとは、その操作回数が多いことを意味し、深みが浅いとは、操作回数が少ないことを意味している。
【０００６】
一方、このような問題を解決するためにキーパッド装置として、タッチスクリーン（ｔｏｕｃｈ  ｓｃｒｅｅｎ）を採択する技術が研究されている。しかし、このようなタッチスクリーンは、使用者によるタッチ（ｔｏｕｃｈ）やキークリック（ｋｅｙ  ｃｌｉｃｋ）時に加圧感がほとんどないので、命令が正確に入力できず、または同一命令が何回も入力されるなどの短所がある。尚、このようなタッチスクリーンでキーパッド装置を製造する場合、タッチスクリーン全体に形成された画素に電源が供給されるために、消費電力が高いのみならず製造コストも高くなるという短所がある。
【発明の開示】
【発明が解決しようとする課題】
【０００７】
本発明は、従来の問題点を解決するためになされたものであって、その目的は、
入力機能のみならず様々な情報の出力機能もある多機能キーパッド用表示装置及びこれを有する電子機器を提供することにある。
【０００８】
本発明の他の目的は、文字、数字、特殊記号、停止映像または動画などを使用者選択によって様々に変更して表示することにより、ユーザーインターフェース（ｕｓｅｒ  ｉｎｔｅｒｆａｃｅ）の深みが浅く、またキー操作が便利な多機能キーパッド用表示装置及びこれを有する電子機器を提供することにある。
【０００９】
本発明の他の目的は、低消費電力のみならず低製造費用の多機能キーパッド用表示装置及びこれを有する電子機器を提供することにある。
【課題を解決するための手段】
【００１０】
上述の目的を達成するために本発明による多機能キーパッド用表示装置は、複数の表示領域が非表示領域を境界にしてマトリクス状に配列された表示パネルと、上記表示パネル上に設けられて上記表示領域に対応する領域に開口が形成され、上記開口の外周縁として上記非表示領域に対応する領域にキー（ｋｅｙ）が形成された回路基板と、上記回路基板上に設けられて上記開口に対応する領域に透明ウィンドウが形成され、上記透明ウィンドウの外周縁として上記キーに対応する領域に加圧部が形成されたパッドとを含むことを特徴とする。
【００１１】
また、本発明による多機能キーパッド用表示装置を有する電子機器は、複数の表示領域が非表示領域を境界にしてマトリクス状に配列された表示パネルと、上記表示パネル上に設けられて上記表示領域に対応する領域に開口が形成され、上記開口の外周縁として上記非表示領域に対応する領域にキー（ｋｅｙ）が形成された回路基板と、上記回路基板上に設けられて上記開口に対応する領域に透明ウィンドウが形成され、上記透明ウィンドウの外周縁として上記キーに対応する領域に加圧部が形成されたパッドで形成された多機能キーパッド用表示装置と、上記多機能キーパッド用表示装置に電気的及び機械的に結合されたメイン表示パネルとを含むことを特徴とする。
【００１２】
上記のように本発明による多機能キーパッド用表示装置及びこれを有する電子機器は、キーパッドを介して各種命令の入力のみならず様々な情報の出力も可能であることを特徴とする。
【００１３】
また、上記のように本発明による多機能キーパッド用表示装置及びこれを有する電子機器は、文字、数字、特殊記号、停止映像または動画などを使用者選択によって様々に変更して表示することで、ユーザーインターフェース（ｕｓｅｒ  ｉｎｔｅｒｆａｃｅ）の深みが浅く、またキー操作が便利であることを特徴とする。
【００１４】
また、本発明による多機能キーパッド用表示装置及びこれを有する電子機器は、器具的及び電気的構成が単純であることで、低消費電力のみならず低製造コスト且つ製造工程が単純であることを特徴とする。
【発明の効果】
【００１５】
上述のように、本発明による多機能キーパッド用表示装置及びこれを有する電子機器は、キーパッドを介して各種命令の入力のみならず様々な情報の出力も可能である。
【００１６】
また、上記のように本発明による多機能キーパッド用表示装置及びこれを有する電子機器は、文字、数字、特殊記号、停止映像または動画などを使用者選択によって様々に変更して表示することで、ユーザーインターフェース（ｕｓｅｒ  ｉｎｔｅｒｆａｃｅ）の深みが浅く、またキー操作が便利である。
【００１７】
また、本発明による多機能キーパッド用表示装置及びこれを有する電子機器は、器具的または電気的構成が単純であることで、低消費電力のみならず低製造コスト且つ製造工程が単純である。
【発明を実施するための最良の形態】
【００１８】
以下、本発明の属する技術分野の通常の知識を有する者が容易に実施できるように、この発明の実施形態について図面に基づいて詳しく説明する。
【００１９】
図１ａには、本発明の一実施形態による多機能キーパッド用表示装置の組立外観の斜視図が示されており、図１ｂにはその分解斜視図が示されている。
【００２０】
図１ａ及び図１ｂに示すように、本発明による多機能キーパッド用表示装置１００は、ケース１１０と、上記ケース１１０に搭載されるメイン回路基板１２０と、上記メイン回路基板１２０の上部に搭載される表示パネル１３０と、上記表示パネル１３０の上部に搭載される回路基板１４０と、上記回路基板１４０の上部に搭載されるパッド１５０と、上記パッド１５０の上部に搭載されるカバー１６０とを含む。
【００２１】
上記ケース１１０は、底面１１１と、上記底面１１１の端側部に一定高さに形成された複数の側壁１１２とを含む。このようなケース１１０は、プラスチック樹脂、金属及びその等価物の中から選択されたいずれか１つによって形成できるが、ここでその材質が限定されるものではない。また、上記ケース１１０には、上記メイン回路基板１２０、上記表示パネル１３０、上記回路基板１４０、上記パッド１５０及び上記カバー１６０が順次に搭載される。勿論、このようなケース１１０には、上記メイン回路基板１２０、上記表示パネル１３０及び上記回路基板１４０などに電力供給のためのバッテリーがさらに装着できるが、このようなバッテリーは図面に示されていない。
【００２２】
上記メイン回路基板１２０は、ほぼ四角板状の基板胴体１２１と、上記基板胴体１２１にマウントされた複数の能動素子１２２、複数の受動素子１２３、接続端子または中継端子もしくはリード配線としてのフレキシブルな第１軟性印刷回路１２４、コネクター１２５とを含む。このようなメイン回路基板１２０は、上記表示パネル１３０、上記回路基板１４０または下記する電子機器のメイン表示パネルに電気信号を供給するかまたは供給される役割を有する。ここで、上記第１軟性印刷回路１２４は、上記回路基板１４０と電気的に接続でき、また上記コネクター１２５には下記する表示パネル１３０に接続される接続端子または中継端子もしくはリード配線としてのフレキシブルな第２軟性印刷回路１３３が電気的に接続できる。
【００２３】
上記表示パネル１３０は、非表示領域１３１を境界にして複数の表示領域１３２がほぼマトリクス（ｍａｔｒｉｘ）状に配列されてなる。勿論、上記表示パネル１３０の一側には、上記メイン回路基板１２０のコネクター１２５に電気的に連結される第２軟性印刷回路１３３が電気的に連結される。また、上記表示パネル１３０は、外部衝撃によって損傷されないように樹脂または金属からなるベゼル１３４に下面及び側面が包み込まれる。ここで、上記表示パネル１３０に形成された表示領域１３２は、図面にたとえば１２個にて示されているが、このような個数に本発明が限定されるものではない。すなわち、上記表示領域１３２は、表示パネル１３０でより多く、またはより少ない個数に形成できる。更に、上記表示パネル１３０に形成された表示領域１３２は、図面にたとえば四角状にて示されているが、このような形態に本発明が限定されるものではない。すなわち、上記表示領域１３２は、円型、三角形、五角形、六角形などの様々な形態に形成される。このような表示領域１３２は、使用者の選択によって文字、数字、特殊記号、停止映像または動画を自由に変化させて出力することによって、ユーザーインターフェース（ｕｓｅｒ  ｉｎｔｅｒｆａｃｅ）が浅くなり、それによって操作が便利になる。勿論、上記表示領域１３２の外側に形成された非表示領域１３１にはいずれの映像も出力されないので、消費電力が最小化される。すなわち、上記表示パネル１３０のうち表示領域１３２には所定色（赤色、緑色、青色及びその混合色）の光を出力するように画素が形成され、上記非表示領域１３１には光を出力しないように画素が形成されないこともある。よって、上記表示パネル１３０のうち実質的に上記画素が形成された表示領域１３２のみ電力が消費され、上記画素が形成されない非表示領域１３１では電力がほとんど消費されない。このような表示パネル１３０は、一例として、受動マトリクス有機電界発光表示装置、能動マトリクス有機電界発光表示装置、液晶表示装置及びその等価表示装置の中から選択されたいずれか１つであることができるが、ここでその表示パネル１３０の種類が限定されるものではない。上記受動マトリクス有機電界発光表示装置、上記能動マトリクス有機電界発光表示装置及び上記液晶表示装置については以下でより詳しく説明する。
【００２４】
上記回路基板１４０は、上記表示パネル１３０のうち上記表示領域１３２に対応する領域に開口１４２が形成された基板胴体１４１と、上記開口１４２の一側として上記非表示領域１３１に対応する領域に形成されたキー１４３を含む。ここで、上記開口１４２は、透明樹脂、透明ガラス及びこの等価物の中から選択されたいずれか１つによって閉塞されることもできる。よって、上記表示パネル１３０の表示領域１３２は、外部環境からより積極的に隔離できる。また、上記回路基板１４０には、上記表示パネル１３０の表示領域１３２に対応しない領域にも複数のキー１４４が形成される。すなわち、上記開口１４２に対応しない領域にも複数のキー１４４が形成される。このような回路基板１４０は、上記第１軟性印刷回路１２４によって上記メイン回路基板１２０に電気的に連結される。よって、上記回路基板１４０に備えられたキー１４３、１４４の操作信号は上記第１軟性印刷回路１４０を介して上記メイン回路基板１２０に適切に伝達することができる。ここで、上記キー１４３の構造は以下でより詳しく説明する。
【００２５】
上記パッド１５０は、上記開口１４２に対応する領域（すなわち、上記表示領域１３２に対応する領域）に透明ウィンドウ１５２が形成されたパッド胴体１５１と、上記透明ウィンドウ１５２の一側として上記キー１４３に対応する領域に形成された加圧部１５３とを含む。ここで、上記パッド１５０には、上記表示パネル１３０の表示領域１３２または回路基板１４０の開口１４２に対応しない領域にも複数の加圧部１５４がさらに形成される。すなわち、上記回路基板１４０のキー１４４に対応する領域に複数の加圧部１５４が形成され、このような加圧部１５４の表面には陽刻、陰刻または印刷などの方法で所定文字、数字、特殊記号などがあらかじめ形成できる。また、上記透明ウィンドウ１５２は、透明樹脂、透明ガラス及びこの等価物の中から選択されたいずれか１つによって閉塞されることもできる。このような構造のパッド１５０は、使用者が上記加圧部１５３、１５４を押せば、上記キー１４３、１４４が操作され、上記キー１４３、１４４の操作信号は第１軟性印刷回路１２４を介してメイン回路基板１２０に伝達される。上記加圧部１５３及びパッド１５０の断面構造は、以下でより詳しく説明する。
【００２６】
上記カバー１６０は、上記パッド１５０の透明ウインドウ１５２及び加圧部１５３に対応する領域にウィンドウ１６２が形成されたカバー胴体１６１を含む。よって、上記カバー１６０のウィンドウ１６２を介して上記表示パネル１３０の表示領域１３２が外部に見えるようになり、使用者は上記カバー１６０のウィンドウ１６２を介して露出された加圧部１５３を操作することによって、所定命令を入力することができるようになる。勿論、上記カバー１６０には陰刻、陽刻または印刷などの方法であらかじめ所定文字などが形成されたパッド１５０の加圧部１５４が露出されるようにする長形ウィンドウ１６３が形成される。尚、上記ウィンドウ１６２、１６３も透明樹脂、ガラス及びその等価物の中から選択されたいずれか１つによって閉塞される。
【００２７】
図２を参照すれば、本発明による多機能キーパッド用表示装置のうちメイン回路基板の上部に表示パネルが搭載された状態が平面図として示されている。
【００２８】
図２に示すように、メイン回路基板１２０の上部には表示パネル１３０が搭載される。勿論、上記表示パネル１３０は、第２軟性印刷回路１３３を介して上記メイン回路基板１２０に電気的に接続される。また、上記メイン回路基板１２０には、第１軟性印刷回路１２４を介して回路基板１４０が電気的に連結される。勿論、上記表示パネル１３０に形成された表示領域１３２と上記回路基板１４０に形成された開口１４２とは、お互いに対応する位置に形成される。
【００２９】
図３を参照すれば、本発明による多機能キーパッド用表示装置のうちメイン回路基板に表示パネル及び回路基板が順次に搭載された状態が平面図として示されている。
【００３０】
図３に示すように、メイン回路基板１２０の上部の上には表示パネル１３０及び回路基板１４０が順次に搭載される。勿論、上記回路基板１４０は、第１軟性印刷回路１２４を介して上記メイン回路基板１２０に電気的に接続される。尚、上記回路基板１４０に形成された開口１４２を介して表示パネル１３０の表示領域１３２が外部に露出される。よって、使用者は、上記回路基板１４０に形成された開口１４２を介して上記表示領域１３２に表示される各種文字、数字、特殊文字、停止映像及び動画などを見ながらキー操作ができる。勿論、上記回路基板１４０は、上記開口１４２の外周縁にキー１４３が形成される。
【００３１】
図４ａには図１の４ａ−４ａ線の断面図が示されており、図４ｂには図１の４ｂ−４ｂ線の断面図が示されている。
【００３２】
上記図４ａ及び図４ｂに示された多機能キーパッド用表示装置１００は、実際の大きさ、厚さ及び長さ等に正確に比例せず、本発明の理解のために誇張または単純化されている。一例として、図４ａ及び図４ｂに示された表示パネル１３０には３つの第１電極１３０２、３つの発光層１３０３及び３つの第２電極１３０４が示されているが、実際にはこれより非常に多い個数または少ない個数に形成される。また、図４ａに示されたキー１４３は、長さがほぼ発光層１３０３、または第２電極１３０４の長さと類似させて示されているが、実際にはこれより非常に大きく、または小さいことがある。尚、上記図４ａ及び図４ｂに示された表示パネル１３０は、受動マトリクス有機電界発光表示装置（Ｐａｓｓｉｖｅ  Ｍａｔｒｉｘ  Ｏｒｇａｎｉｃ  Ｌｉｇｈｔ  Ｅｍｉｔｔｉｎｇ  Ｄｉｓｐｌａｙ）を例として示したものであるが、このような装置に本発明が限定されるものではない。
【００３３】
先ず、図４ａに示された表示パネル１３０は、第１基板１３０１と、上記第１基板１３０１の上部に形成された第１電極１３０２と、上記第１電極１３０２の上部に形成された発光層１３０３と、上記発光層１３０３の上部に形成された第２電極１３０４と、側方に隣り合う上記第２電極１３０４と第２電極１３０４の相互間に形成された絶縁層１３０５と、上記絶縁層１３０５の上部に形成された第１セパレータ１３０６と、上記第２電極１３０４の外周縁に形成され、同時に上記第１セパレータ１３０６の幅より大きい幅を有する一体の第２セパレータ１３０７とを含む。
【００３４】
ここで、上記第１電極１３０２、上記発光層１３０３、上記第２電極１３０４及び上記第１セパレータ１３０６が同時に形成された領域を表示領域１３２として定義することができる。また、上記発光層１３０３が形成されず、第１電極１３０２、第２電極１３０４及び第２セパレータ１３０７のみ形成された領域を非表示領域１３１として定義することができる。よって、上記表示領域１３２を通して所定映像（様々な文字、数字、特殊記号、停止映像または動画）が表示されるが、上記非表示領域１３１においてはいずれの映像も出力されない。尚、上記表示領域１３２において電力が消費されるが、上記非表示領域１３１においては電力が消費されないか極めて少量が消費される。
【００３５】
上記第１基板１３０１は、ガラス、プラスチック樹脂、ナノ複合体、金属及びその等価物の中から選択されたいずれか１つであることができるが、ここでその種類が限定されるものではない。
【００３６】
上記第１電極１３０２は、上記第１基板１３０１上に酸化シリコン層、窒化シリコン層または酸化窒化シリコン層が形成された後にその上に形成されるか、上記第１基板１３０１上に直接に形成される。このような第１電極１３０２は、ＩＴＯ（Ｉｎｄｉｕｍ  Ｔｉｎ  Ｏｘｉｄｅ；インジウム錫酸化物）、ＩＴＯ／Ａｇ、ＩＴＯ／Ａｇ／ＩＴＯ、ＩＴＯ／Ａｇ／ＩＺＯ（Ｉｎｄｉｕｍ  Ｚｉｎｃ  Ｏｘｉｄｅ；インジウム亜鉛酸化物）及びその等価物の中から選択された少なくともいずれか１つで形成できるが、本発明で上記第１電極１３０２の材質が限定されるものではない。しかし、上記第１電極１３０２は、  仕事関数（ｗｏｒｋ  ｆｕｎｃｔｉｏｎ）が大きいことから発光層１３０３に対する正孔注入障壁が低い材料であるほど好ましい。尚、上記銀（Ａｇ）は、前面発光方式で発光層１３０３からの光が上面に反射されるようにする役割を有する。
【００３７】
上記発光層１３０３は、上記第１電極１３０２の上部に形成される。実質的に上記発光層１３０３は、赤色、緑色または青色の光を発光するかまたは単色の光を発光することができる。しかし、ここで上記発光層１３０３による光の色が限定されるものではない。また、上記発光層１３０３は、正孔の移動を容易にする正孔輸送層（ｈｏｌｅ  ｔｒａｎｓｐｏｒｔ  ｌａｙｅｒ；ＨＴＬ）、電子と正孔が結合して励起子（ｅｘｃｉｔｏｎ）を形成して所定色に発光する有機発光層（ｅｍｉｔｔｉｎｇ  ｌａｙｅｒ；ＥＭＬ）及び電子の移動を容易にする電子輸送層（ｅｌｅｃｔｒｏｎ  ｔｒａｎｓｐｏｒｔ  ｌａｙｅｒ；ＥＴＬ）からなることができる。また、上記電子輸送層には電子の注入効率を向上させる電子注入層（ｅｌｅｃｔｒｏｎ  ｉｎｊｅｃｔｉｎｇ  ｌａｙｅｒ；ＥＩＬ）が形成され、上記正孔輸送層には正孔の注入効率を向上させる正孔注入層（ｈｏｌｅ  ｉｎｊｅｃｔｉｎｇ  ｌａｙｅｒ；ＨＩＬ）がさらに形成される。しかし、このような層構造に発光層１３０３が限定されるものではない。
【００３８】
上記第２電極１３０４は、上記第１電極１３０２に交差する方向であると同時に、上記発光層１３０３の上面に形成される。勿論、上記第１電極１３０２と上記第２電極１３０４は、相互間が直接に電気的にショートされない。このような第２電極１３０４は、Ａｌ、ＬｉＦ、ＭｇＡｇ合金、ＭｇＣａ合金及びその等価物の中から選択された少なくともいずれか１つであることができるが、本発明で上記第２電極１３０４の材質がそれらに限定されるものではない。但し、前面発光式を採択する場合、上記Ａｌは厚さを非常に薄くしなければならなく、その場合は抵抗が高くなって電子注入障壁が大きくなることがある。よって、上記Ａｌに比べて電子注入障壁の低いＬｉＦ、ＭｇＡｇ合金またはＭｇＣａ合金を第２電極１３０４に用いることが好ましい。
【００３９】
上記絶縁層１３０５は、側方に隣り合う上記発光層１３０３と発光層１３０３との間に形成され、上記発光層１３０３を物理的及び電気的にアイソレーション（ｉｓｏｌａｔｉｏｎ）させる役割を有する。このような絶縁層１３０５は、ポリイミド（ｐｏｌｙｉｍｉｄｅ）及びその等価物の中から選択されたいずれか１つに形成できるが、ここでその材質が限定されるものではない。
【００４０】
上記第１セパレータ１３０６は、側方に隣り合う上記第２電極１３０４と第２電極１３０４との間（即ち、上記発光層１３０３と発光層１３０３との間）に形成され、上記第２電極１３０４を物理的に分離させる役割を有する。このような第１セパレータ１３０６は、厚さが上記発光層１３０３の厚さより厚く形成されることによって、相隣接する上記第２電極１３０４と第２電極１３０４が確実に物理的に分離されるようにできる。尚、このような第１セパレータ１３０６は、上辺が下辺より長い台形状に形成できるが、このような形態にセパレータの形状が限定されるものではない。すなわち、上記第１セパレータ１３０６は、下辺が上辺より長い台形状または四角柱状であることもできる。尚、このような第１セパレータ１３０６は、フォトレジストの露光及び現像工程によって形成できるが、このような材質及び製造方法で本発明が限定されるものではない。
【００４１】
上記第２セパレータ１３０７は、表示領域１３２の外周縁に形成される。すなわち、上記第２セパレータ１３０７は、発光層１３０３の外周縁にそれぞれ形成される。このような第２セパレータ１３０７は、上記第１セパレータ１３０６の幅より大きい幅に形成される。実質的にこのような第２セパレータ１３０７によって非表示領域１３１が定義される。すなわち、上記発光層１３０３及び第１セパレータ１３０６が位置する領域が表示領域１３２として定義され、上記第２セパレータ１３０７が位置する領域が非表示領域１３１として定義される。一方、上記第１セパレータ１３０６及び第２セパレータ１３０７の上面にも他の第２電極１３０４ａがさらに形成できるが、このような第２電極１３０４ａで本発明が限定されるものではない。
【００４２】
一方、上記表示領域１３２及び非表示領域１３１をなす第１セパレータ１３０６及び第２セパレータ１３０７上には透明基板である第２基板１３０８がさらに形成される。このような第２基板１３０８は、実質的に上記第１セパレータ１３０６及び第２セパレータ１３０７に接触するかまたは接触しないこともある。勿論、このような第２基板１３０８は、外部の湿気及びほこり等が上記発光層１３０３に到達されないようにする。このような第２基板１３０８を封止基板と呼ぶこともある。
【００４３】
上記第２基板１３０８の上部に開口１４２及びキー１４３を有する回路基板１４０が配置される。実質的に上記回路基板１４０の開口１４２は、上記表示パネル１３０に形成された表示領域１３２の大きさとほぼ同一である。また、上記回路基板１４０の上部に透明ウィンドウ１５２及び加圧部１５３を有するパッド１５０が位置される。実質的に上記パッド１５０の透明ウィンドウ１５２は、上記回路基板１４０の開口１４２の大きさとほぼ同一である。尚、上記パッド１５０の上部にウィンドウ１６２を有するカバー１６０が配置される。実質的に上記カバー１６０のウィンドウ１６２は、上記パッド１５０の透明ウィンドウ１５２と加圧部１５３とを結合させた大きさとほぼ同一である。つまり、上記パッド１５０に形成された加圧部１５３は上記カバー１６０のウィンドウ１６２を通じて外部に露出される。尚、上記開口１４２、上記透明ウィンドウ１５２及び上記ウィンドウ１６２のうち少なくともいずれか１つは表示領域１３２を外部環境から積極的に保護するために透明樹脂、透明ガラス及びその等価物の中から選択されたいずれか１つによって閉塞される。勿論、閉塞されないこともある。
【００４４】
上述したように、本発明では表示パネル１３０が非表示領域１３１と表示領域１３２に区分され、上記回路基板１４０に形成されたキー１４３は上記表示パネル１３０のうち非表示領域１３１に対応する領域に位置する。実質的に上記回路基板１４０のキー１４３は、上記第２セパレータ１３０７に対応する領域に形成される。このような第２セパレータ１３０７は、上述したように表示領域１３２に形成された発光層１３０３の厚さより厚く、また表示領域１３２に形成された第１セパレータ１３０６の幅より広く形成されている。よって、使用者がパッド１５０の加圧部１５３を押して上記キー１４３が圧力を受けるとしても、上記第２基板１３０８及びその下部の第２セパレータ１３０７がその圧力を充分に吸収、緩衝及び支持するようになる。よって、使用者のキー操作にもかかわらず、上記表示領域１３２の損傷や表示品質低下現象は発生しない。
【００４５】
図面において、未説明符号１３４は表示パネル１３０をなす第１基板１３０１の下に位置するベゼルであり、未説明符号１２０はベゼル１３４の下に位置するメイン回路基板であり、未説明符号１１０はメイン回路基板１２０の下に位置するケースである。このような構成要素については上述したので、これ以上の説明は省略する。
【００４６】
図５には、本発明による多機能キーパッド用表示装置のうち表示パネルに形成された非表示領域及び表示領域が平面図として示されている。
【００４７】
図５に示すように、本発明では表示パネル１３０がいぞれも表示しない非表示領域１３１と、文字、数字、特殊文字、停止映像または動画を表示する表示領域１３２からなることができる。勿論、上記表示領域１３２は行と列を有してマトリクス状に形成される。実質的に、上記表示領域１３２には複数の画素１３２ａが形成され、上記非表示領域１３１には画素が形成されない。
【００４８】
このような構造によって本発明は表示パネル１３０のサイズが比較的大きくなっても電極抵抗と発光層のキャパシタンスがそれほどに大きく増加しなくなる。
【００４９】
一例として、上記表示パネル１３０の全体広さが２０ｃｍ２（例えば、４ｃｍ×５ｃｍ）であり、このうち１つの表示領域１３２の広さが１ｃｍ２であり、その個数が１２個であれば、全体表示領域１３２の広さは１２ｃｍ２になる。したがって、２０ｃｍ２の広さを有する全体表示パネル１３０で電力が消費されるものではなく、実質的に１２ｃｍ２の表示領域１３２で電力が消費されるものである。すなわち、消費電力面では、ほぼ２０ｃｍ２の表示パネル１３０ではなくほぼ１２ｃｍ２の表示パネル１３０とみることができる。
【００５０】
一方、図５で楕円形に表示した部分は、回路基板１４０のうちキー１４３に対応する領域を示したものである。すなわち、使用者による圧力が加えられる回路基板１４０のキー１４３は表示パネル１３０のうち表示領域１３２ではない非表示領域１３１に対応する領域である。つまり、上記表示パネル１３０のうち上記回路基板１４０のキー１４３に対応する領域は画素が形成されない領域である。
【００５１】
図６には、本発明による多機能キーパッド用表示装置のうちキー及びその周辺構造が拡大断面図として示されている。
【００５２】
図６に示すように、表示パネル１３０のうち非表示領域１３１に対応する領域に配置されたキー１４３は、例えば、ドームスイッチ及びその等価物の中から選択されたいずれか１つであることができるが、ここでそのキー１４３の種類が限定されるものではない。すなわち、図６に示されたキー１４３は本発明の理解のための一例であり、このようなキー１４３に本発明が限定されるものではない。上記キー１４３は、回路基板１４０に形成された少なくとも１つの導電パターン１４３ａと、上記導電パターン１４３ａに接触及び分離可能な弾性部材１４３ｂからなることができる。勿論、上記弾性部材１４３ｂは、導電体であるかまたは内側表面に導電層が形成された形態であることができる。また、図６では上記回路基板１４０のうち上記キー１４３が形成された領域に凹溝１４４が形成されたもので示されているが、このような凹溝１４４で本発明が限定されるものではない。すなわち、上記凹溝１４４は必要に応じて形成されないこともある。
【００５３】
一方、上記回路基板１４０の上部に位置するパッド１５０は、多層構造であることができる。同じく、図面に示されたパッド１５０は本発明の理解のための一例であり、このような図面によって本発明が限定されるものではない。上記パッド１５０は、最下端に形成されて上記回路基板１４０またはキー１４３と接触する絶縁層１５５と、上記絶縁層１５５の上部に形成された薄い金属層１５６と、上記金属層１５６の上部において上記キー１４３に対応する領域に形成された加圧部１５３からなることができる。上記絶縁層１５５は、パッド１５０が上記回路基板１４０及びキー１４３の上部に安定的に密着されるようにし、上記金属層１５６は上記パッド１５０の剛性を確保し、上記加圧部１５３は使用者による加圧力を上記キー１４３に伝達する役割を有する。上記加圧部１５３は、通常の樹脂、金属及びその等価物の中から選択されたいずれか１つによって形成できるが、ここでその材質が限定されるものではない。尚、上記加圧部１５３は上部に所定厚さで突出されていることによって、使用者によって容易に加圧できるようになっている。尚、上記パッド１５０の上部には、カバー１６０が搭載され、上記カバー１６０に形成されたウィンドウ１６２を介して上記パッド１５０の加圧部１５３が上部に露出される。ここで、上記加圧部１５３は上記パッド１５０の外側に突出されるか、または突出されないように厚さが制御される。
【００５４】
図７には、本発明による多機能キーパッド用表示装置のうち表示パネルの電気的構成が概略ブロック図で示されている。
【００５５】
図７に示すように、表示パネル１３０は非表示領域１３１と複数の表示領域１３２からなり、上記表示領域１３２には複数の画素１３２ａが形成される。尚、上記表示領域１３２には第１電極１３０２及び第２電極１３０４が形成される。また、上記第１電極１３０２には、例えば、上記表示領域１３２にデータ信号を印加するデータドライバー１３０９が電気的に連結され、上記第２電極１３０４には、例えば、上記表示領域１３２にスキャン信号を印加するスキャンドライバー１３１０が電気的に連結される。勿論、上記データドライバー１３０９は、ソースドライバー（ｓｏｕｒｃｅ  ｄｒｉｖｅｒ）またはカラムドライバー（ｃｏｌｕｍ  ｄｒｉｖｅｒ）と呼ぶこともでき、上記スキャンドライバー１３１０はゲートドライバー（ｇａｔｅ  ｄｒｉｖｅｒ）またはロードライバー（ｒｏｗ  ｄｒｉｖｅｒ）と呼ぶこともできる。
【００５６】
上記のように、本発明は表示パネル１３０の全体に画素を形成しない。すなわち、選択された表示領域１３２のみに画素を形成するようになる。よって、表示パネル１３０の全体に表示領域１３２または画素を形成する場合より電力消耗量が少なく、また生産収率が向上される。勿論、これによって製造費用も減少する。
【００５７】
図面において、楕円形の点線は回路基板１４０に形成されたキー１４３が対応する領域である。図示されたようにキー１４３は、表示パネル１３０のうち非表示領域１３１に対応されるために、キー１４３の操作時における表示領域１３２の損傷または表示品質の低下現象を防止することができるようになる。
【００５８】
図８には、本発明の他の実施形態による多機能キーパッド用表示装置が概略断面図として示されている。
【００５９】
ここで、上記図８に示された多機能キーパッド用表示装置２００は、実際の大きさ、厚さ及び長さに比例せず、本発明の理解のために誇張または単純化（キャパシタを含むが、省略される）して示されている。一例として、図８には３つのトランジスタ２３０２、３つの第１電極２３０４、３つの発光層２３０５及び１つの第２電極２３０６が示されているが、実際にはこれより非常に多い個数または少ない個数に形成される。また、図８に示された回路基板１４０のキー１４３の長さは、第１電極２３０４または発光層２３０５の長さと類似して示されているが、実際にはこれより非常に大きいかまたは小さいことがある。尚、上記図８に示された表示パネル２３０は、能動マトリクス有機電界発光表示装置（Ａｃｔｉｖｅ  Ｍａｔｒｉｘ  Ｏｒｇａｎｉｃ  Ｌｉｇｈｔ  Ｅｍｉｔｔｉｎｇ  Ｄｉｓｐｌａｙ）であることができるが、このような装置で本発明が限定されるものではない。
【００６０】
先ず、図８に示すように表示パネル２３０は、第１基板２３０１と、上記第１基板２３０１の上部に形成されたトランジスタ２３０２と、上記トランジスタ２３０２の上部に形成された絶縁層２３０３と、上記トランジスタ２３０２に電気的に連結された第１電極２３０４と、上記第１電極２３０４の上部に形成された発光層２３０５と、上記発光層２３０５の上部に形成された第２電極２３０６と、  各画素を定義する第１画素定義層２３０７と、上記第１画素定義層２３０７の外郭に形成された第２画素定義層２３０８とを含む。
【００６１】
ここで、上記３つの第１電極２３０４、３つの発光層２３０５、１つの第２電極２３０６及び３つの画素定義層２３０７が形成された領域を表示領域１３２として定義することができ、上記発光層２３０５がなくて第２画素定義層２３０８のみ形成された領域を非表示領域１３１として定義することができる。
【００６２】
上記第１基板２３０１は、ガラス、プラスチック樹脂、ナノ複合体、金属及びその等価物の中から選択されたいずれか１つであることができるが、ここでその材質が限定されるものではない。
【００６３】
上記トランジスタ２３０２は、上記第１基板２３０１の上に酸化シリコン層、窒化シリコン層または酸化窒化シリコン層が形成された後にその上に形成されるか、または上記第１基板２３０１上に直接に形成される。このようなトランジスタ２３０２は、実質的に薄膜トランジスタであることができ、両側にあるソース／ドレイン領域２３０２ａ及びその間にあるチャネル領域２３０２ｂを有することができる。勿論、上記トランジスタ２３０２の表面には、ゲート絶縁膜２３０２ｃが形成され、上記チャネル領域２３０２ｂに対応する領域にゲート電極２３０２ｄが形成される。また、上記ゲート電極２３０２ｄを覆って誘電体層２３０２ｅが形成され、上記誘電体層２３０２ｅの上部に、上記ソース／ドレイン領域２３０２ａと電気的に連結されるソース／ドレイン電極２３０２ｆがそれぞれ形成される。ここで、上記トランジスタ２３０２は、既存のすべての薄膜トランジスタの構造、例えば、インバーテッド・コープレーナ構造（ｉｎｖｅｒｔｅｄ  ｃｏｐｌａｎａｒ  ｓｔｒｕｃｔｕｒｅ）、ジグザグ型であるスタガード構造（ｓｔａｇｇｅｒｅｄ  ｓｔｒｕｃｔｕｒｅ）、逆転ジグザグ型であるインバーテッド・スタガード構造（ｉｎｖｅｒｔｅｄ  ｓｔａｇｇｅｒｅｄ  ｓｔｒｕｃｔｕｒｅ）及びその等価構造の中から選択された少なくともいずれか一つが可能であり、本発明で上記アクティブ層２３０２の構造が限定されるものではない。
【００６４】
上記絶縁層２３０３は、上記トランジスタ２３０２の表面に形成される。このような絶縁層２３０３は、外部から上記トランジスタ２３０２に水分が浸透されないようにする同時に、表面を平坦化する役割を有する。このような絶縁層２３０３は、有機層、無機層及びその等価物の中から選択されたいずれか１つまたは混合物であることができるが、ここでその材質が限定されるものではない。
【００６５】
上記第１電極２３０４は、上記絶縁層２３０３に形成され、これは上記トランジスタ２３０２のうちソース／ドレイン電極２３０２ｆと電気的に連結される。このような第１電極２３０４は、ＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つに形成できるが、本発明で上記第１電極２３０４の材質が限定されるものではない。このような第１電極２３０４について上述したので、これ以上の説明は省略する。
【００６６】
上記発光層２３０５は、上記第１電極２３０４の上部に形成される。このような発光層２３０５は、実質的に正孔輸送層、有機発光層及び電子輸送層からなる。このような発光層２３０５についても上述したので、これ以上の説明は省略する。
【００６７】
上記第２電極２３０６は、上記発光層２３０５の上部に形成される。このような第２電極２３０６は、Ａｌ、ＬｉＦ、ＭｇＡｇ合金、ＭｇＣａ合金及びその等価物の中から選択されたいずれか１つであることができるが、本発明で上記第２電極２３０６の材質が限定されるものではない。このような第２電極２３０６についても上述したので、これ以上の説明は省略する。
【００６８】
上記第１画素定義層２３０７は、側方に隣り合う上記発光層２３０５と発光層２３０５との間に形成され、上記発光層２３０５が物理的及び電気的にアイソレーションされるようにする役割を有する。このような第１画素定義層２３０７は、厚さが上記発光層２３０５の厚さより厚く形成されることによって、上記発光層２３０５と発光層２３０５が確実に物理的及び電気的に分離されるようにする。尚、このような第１画素定義層２３０７は、上辺が下辺より短い台形状に形成できるが、このような形態に本発明が限定されるものではない。尚、このような第１画素定義層２３０７は、ポリイミドの露光及び現象工程によって形成できるが、ここでその材質及び製造方法が限定されるものではない。
【００６９】
上記第２画素定義層２３０８は、表示領域１３２をなす発光層２３０５の外周縁に形成される。このような第２画素定義層２３０８は、上記第１画素定義層２３０７の幅より大きな幅に形成される。実質的に、このような第２画素定義層２３０８によって非表示領域１３１が定義される。すなわち、上記第１電極２３０４、発光層２３０５及び第１画素定義層２３０７が表示領域１３２として定義され、上記第２画素定義層２３０８が非表示領域１３１として定義される。一方、上記第１画素定義層２３０７及び第２画素定義層２３０８の上面にも共通の第２電極２３０６が形成できるが、このような構造に本発明が限定されるものではない。
【００７０】
一方、上記非表示領域１３１及び表示領域１３２をなす第１画素定義層２３０７及び第２画素定義層２３０８の上部には透明基板である第２基板２３０９が形成される。このような第２基板２３０９は、実質的に上記第１画素定義層２３０７及び第２画素定義層２３０８に接触するかまたは接触しないこともある。勿論、このような第２基板２３０９は、外部の湿気及びほこり等が上記発光層２３０５に到達されないようにする役割を有する。
【００７１】
ここで、上記第２基板２３０９の上部に開口１４２及びキー１４３を有する回路基板１４０が配置され、上記回路基板１４０の上部に透明ウィンドウ１５２及び加圧部１５３を有するパッド１５０が配置され、上記パッド１５０の上部にカバー１６０が配置される。このような構造は、上述した構造と同一であるため、より詳しい説明は省略する。
【００７２】
また、上述したように、本発明では表示パネル２３０が非表示領域１３１と表示領域１３２に区分され、上記回路基板１４０に形成されたキー１４３は上記表示パネル２３０のうち非表示領域１３１に対応する位置に配置される。実質的に上記回路基板１４０のキー１４３は上記第２画素定義層２３０８に対応する領域に形成される。このような第２画素定義層２３０８は、上述したように表示領域１３２に形成された発光層２３０５の厚さより厚く形成され、また表示領域１３２に形成された第１画素定義層２３０７の幅より広く形成されている。よって、使用者がパッド１５０の加圧部１５３を押して上記キー１４３が圧力を受けるとしても、上記第２基板２３０９及びその下部の第２画素定義層２３０８がその圧力を吸収、緩衝及び支持するようになる。よって、使用者が上記キー１４３を過度に加圧するとしても、上記表示領域１３２が損傷されたり表示品質が低下されたりしない。
【００７３】
図面において、未説明符号１３４は、表示パネル２３０をなす第１基板２３０１の下に位置するベゼルであり、未説明符号１２０はベゼル１３４の下に位置するメイン回路基板であり、未説明符号１１０はメイン回路基板１２０の下に位置するケースである。
【００７４】
図９には、本発明の他の実施形態による多機能キーパッド用表示装置の概略断面図が示されている。
【００７５】
ここで、上記図９に示された多機能キーパッド用表示装置３００は、実際の大きさ、厚さ及び長さに比例せず、本発明の理解のために誇張または単純化（キャパシタを含むが、省略される）されている。一例として、図９には３つのトランジスタ３３０２、３つの第１電極３３０３、３つの液晶３３０４、１つの第２電極３３０５が示されているが、実際にはこれより非常に多い個数または少ない個数に形成される。また、図９に示された回路基板１４０のキー１４３の幅は、１つのカラーフィルター３３０６の幅と類似して示されているが、実際にはこれより非常に大きいかまたは小さいことがある。尚、上記図９に示された表示パネル３３０は、液晶表示装置（Ｌｉｑｕｉｄ  Ｃｒｙｓｔａｌ  Ｄｉｓｐｌａｙ）であることができるが、このような装置に本発明が限定されるものではない。
【００７６】
先ず、図９に示すように、表示パネル３３０は第１基板３３０１と、上記第１基板３３０１に形成されたトランジスタ３３０２と、上記トランジスタ３３０２に電気的に連結された第１電極３３０３と、上記第１電極３３０３上に形成された液晶３３０４と、上記液晶３３０４上に形成された第２電極３３０５と、上記第２電極３３０５上に位置するカラーフィルター３３０６と、各画素を定義する第１スペーサ３３０７と、上記第１スペーサ３３０７の外郭に形成された第２スペーサ３３０８とを含む。ここで、上記３つのトランジスタ３３０２、３つの第１電極３３０３、３つの液晶３３０４、１つの第２電極３３０５、３つのカラーフィルター３３０６及び３つの第１スペーサ３３０７が形成された領域を表示領域１３２として定義することができ、上記第２スペーサ３３０８が形成された領域を非表示領域１３１として定義することができる。
【００７７】
上記第１基板３３０１は、ガラス、プラスチック樹脂、ナノ複合体、金属及びその等価物の中から選択されたいずれか１つであることができるが、ここでその材質が限定されるものではない。
【００７８】
上記トランジスタ３３０２は、上記第１基板３３０１上に酸化シリコン層、窒化シリコン層または酸化窒化シリコン層が形成された後にその上に形成されるかまたは上記第１基板３３０１上に直接に形成される。一例として、第１基板３３０１の表面にゲート電極３３０２ａが形成され、その表面にはゲート絶縁膜３３０２ｂが形成される。上記ゲート絶縁膜３３０２ｂ上には、両側配置のソース／ドレイン領域３３０２ｃ及びその間のチャネル領域３３０２ｄが形成される。また、上記ソース／ドレイン領域３３０２ｃ及びチャネル領域３３０２ｄの表面には絶縁層３３０２ｅが形成される。また、上記絶縁層３３０２ｅ上には、ソース／ドレイン電極３３０２ｆが上記ソース／ドレイン領域３３０２ｃに電気的に連結される。このような構造のトランジスタ３３０２は、実質的に薄膜トランジスタであることができ、その構造は非常に様々に存在し、ここでそのトランジスタ３３０２の構造が限定されるものではない。
【００７９】
上記第１電極３３０３は、上記トランジスタ３３０２のソース／ドレイン電極３３０２ｆに電気的に連結される。このような第１電極３３０３は、ＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つによって形成できるが、本発明で上記第１電極３３０３の材質が限定されるものではない。このような第１電極３３０３については上述したので、これ以上の説明は省略する。
【００８０】
上記液晶３３０４は、上記第１電極３３０３上に形成される。このような液晶３３０４は、周知のように上記第１電極３３０３と第２電極３３０５との間に形成される電場の強度によって結晶方向が変わることで、バックライト（ｂａｃｋ  ｌｉｇｈｔ）からの光透過率を変化させる役割を有する。
【００８１】
上記第２電極３３０５は、上記第１電極３３０３に対向する上部領域に形成される。このような第２電極３３０５は、実質的にすべての画素で共通に連結されており、これはＩＴＯ、ＩＴＯ／Ａｇ、ＩＴＯ／Ａｇ／ＩＴＯ、ＩＴＯ／Ａｇ／ＩＺＯ及びその等価物の中から選択された少なくともいずれか１つによって形成できるが、本発明で上記第２電極３３０５の材質が限定されるものではない。このような第２電極３３０５については上述したので、これ以上の説明は省略する。
【００８２】
上記カラーフィルター３３０６は、上記第２電極３３０５上に形成される。このようなカラーフィルター３３０６は、バックライトからの光によって外部に赤色、緑色または青色の光が透過されるようにする役割を有する。勿論、このようなカラーフィルター３３０６には赤色、緑色及び青色別に区分できるようにブラックマトリクス３３０５ａが形成される。
【００８３】
上記第１スペーサ３３０７は、第１基板３３０１と第２基板１３０８との間に位置され、上記第１基板３３０１と第２基板１３０８が適切な距離を維持するようにする役割を有する。
【００８４】
上記第２スペーサ３３０８は、上記第１スペーサ３３０７の最外郭に形成される。このような第２スペーサ３３０８は、幅が上記第１スペーサ３３０７の幅より大きく形成される。すなわち、上記複数の第１スペーサ３３０７がなす領域は表示領域１３２になり、上記第２スペーサ３３０８がなす領域は非表示領域１３１になることができる。
【００８５】
一方、上記表示領域１３２及び非表示領域１３１をなす第１スペーサ３３０７  及び第２スペーサ３３０８の上部には透明基板である第２基板３３０９が形成される。このような第２基板３３０９は、実質的に上記第１スペーサ３３０７及び第２スペーサ３３０８に接触するかまたは接触しないこともある。勿論、このような第２基板３３０９は、外部の湿気及びほこり等が上記液晶３３０４などに到達されないようにする役割を有する。
【００８６】
ここで、上記第２基板３３０９上に開口１４２及びキー１４３を有する回路基板１４０が配置され、上記回路基板１４０上に透明ウィンドウ１５２及び加圧部１５３を有するパッド１５０が配置され、上記パッド１５０上にカバー１６０が設置される。
【００８７】
また、上述のように本発明では、表示パネル３３０が非表示領域１３１と表示領域１３２に区分され、上記回路基板１４０に形成されたキー１４３は上記表示パネル３３０のうち非表示領域１３１に対応する位置に配置される。実質的に上記回路基板１４０のキー１４３は上記第２スペーサ３３０８上に形成される。このような第２スペーサ３３０８は、上述したように表示領域１３２に形成された第１スペーサ３３０７の幅より広く形成されている。よって、使用者がパッド１５０の加圧部１５３を押して上記キー１４３が加圧されても、上記第２基板３３０９及びその下部の第２スペーサ３３０８がその圧力を吸収、緩衝及び支持するようになる。よって、使用者が上記キー１４３を過度に加圧しても、上記表示領域１３２が損傷されたり、表示品質が低下されたりしない。
【００８８】
図面おいて、未説明符号３３１０は表示パネル３３０をなす第１基板３３０１の下に位置するバックライトであり、未説明符号１３４はバックライト３３１０の下に位置するベゼルであり、未説明符号１２０はベゼル１３４の下に位置するメイン回路基板であり、未説明符号１１０はメイン回路基板１２０の下に位置するケースである。
【００８９】
図１０ａ及び図１０ｂには、本発明による多機能キーパッド用表示装置を有する電子機器４０１、４０２の例が斜視図としてそれぞれ示されている。
【００９０】
図１０ａ及び図１０ｂに示すように、本発明による多機能キーパッド用表示装置１００（勿論、多機能キーパッド用表示装置２００、３００も可能）は、メイン表示パネル４０３を有する電子機器４０１、４０２に適用される。
【００９１】
より詳しくは、図１０ａに示すように電子機器４０１は、折り畳み型携帯電話機であることができる。このような電子機器４０１は、メイン表示パネル４０３の以外にも多機能キーパッド用表示装置に表示パネル１３０が備えられていることにより、全部で２つの表示パネルを有する。また、図１０ｂに示すように、電子機器４０２はスライド型携帯電話機であることができる。このような電子機器４０２もメイン表示パネル４０３以外にも多機能キーパッド用表示装置に表示パネル１３０がさらに備えられている。したがって全部で２つの表示パネルを有する。
【００９２】
その他にも本発明による多機能キーパッド用表示装置１００は、ＭＰ３プレーヤー、カーオディオ、オートコンソール、ＰＤＡ、その他の産業用ディスプレーなどの様々な分野に適用でき、本発明で上記多機能キーパッド用表示装置１００が適用される電子機器４０１、４０２の種類が限定されるものではない。
【００９３】
以上、上述したものは本発明による多機能キーパッド用表示装置及びこれを有する電子機器を実施するための一実施例に過ぎず、本発明は上記の実施例に限定されるものではなく、特許請求範囲から請求する本発明の基本概念に基づき、当該技術分野における通常の知識を有する者であれば、様々な実施変形が可能であり、そのような変形は本発明の特許請求範囲に属するものである。
【図面の簡単な説明】
【００９４】
【図１ａ】本発明の一実施形態による多機能キーパッド用表示装置を示した組立外観の斜視図である。
【図１ｂ】本発明の一実施形態による多機能キーパッド用表示装置の分解斜視図である。
【図２】本発明による多機能キーパッド用表示装置のうちメイン回路基板上に表示パネルが搭載された状態を示した平面図である。
【図３】本発明による多機能キーパッド用表示装置のうちメイン回路基板に表示パネル及び回路基板が順次に搭載された状態を示した平面図である。
【図４ａ】図１の４ａ−４ａ線の概略断面図である。
【図４ｂ】図１の４ｂ−４ｂ線の概略断面図である。
【図５】本発明による多機能キーパッド用表示装置のうち表示パネルに形成された表示領域及び非表示領域を示した概略平面図である。
【図６】本発明による多機能キーパッド用表示装置のうちキー及びその周辺構造を拡大して示した断面図である。
【図７】本発明による多機能キーパッド用表示装置のうち表示パネルの電気的構成を示した概路図である。
【図８】本発明の他の実施形態による多機能キーパッド用表示装置を示した概略断面図である。
【図９】本発明の更に他の実施形態による多機能キーパッド用表示装置を示した概略断面図である。
【図１０ａ】本発明による多機能キーパッド用表示装置を有する電子機器の一例を示した概略斜視図である。
【図１０ｂ】本発明による多機能キーパッド用表示装置を有する電子機器の他の一例を示した概略斜視図である。
【符号の説明】
【００９５】
１００、２００、３００…多機能キーパッド用表示装置
１１０…ケース
１１１…底面
１１２…側壁
１２０…メイン回路基板
１２１…基板胴体
１２２…能動素子
１２３…受動素子
１２４…第１軟性印刷回路
１２５…コネクター
１３０…表示パネル
１３１…非表示領域
１３２…表示領域
３３…第２軟性印刷回路
１３４…ベゼル
１３０１…第１基板
１３０２…第１電極
１３０３…発光層
１３０４…第２電極
１３０５…絶縁層
１３０６…第１セパレータ
１３０７…第２セパレータ
１３０８…第２基板
１３０９…データドライバー
１３１０…スキャンドライバー
１４０…回路基板
１４１…基板胴体
１４２…開口
１４３、１４４…キー
１４３ａ…導電パターン
１４３ｂ…弾性部材
１４４…凹溝
１５０…パッド
１５１…パッド胴体
１５２…透明ウィンドウ
１５３、１５４…加圧部
１５５…絶縁層
１５６…金属層
１６０…カバー
１６１…カバー胴体
１６２、１６３…ウィンドウ
４０１、４０２…多機能キーパッド用表示装置を有する電子機器
４０３…メイン表示パネル
【図１ａ】
2008269604.tif 000003
【図１ｂ】
2008269604.tif 000004
【図２】
2008269604.tif 000005
【図３】
2008269604.tif 000006
【図４ａ】
2008269604.tif 000007
【図４ｂ】
2008269604.tif 000008
【図５】
2008269604.tif 000009
【図６】
2008269604.tif 000010
【図７】
2008269604.tif 000011
【図８】
2008269604.tif 000012
【図９】
2008269604.tif 000013
【図１０ａ】
2008269604.tif 000014
【図１０ｂ】
2008269604.tif 000015